【手続補正書】
【提出日】平成26年9月17日(2014.9.17)
【手続補正１】
【補正対象書類名】特許請求の範囲
【補正対象項目名】全文
【補正方法】変更
【補正の内容】
【特許請求の範囲】
【請求項１】
圧縮音声ストリームをデコードして所定数のチャネルの音声信号を得るデコード部と、
上記デコード部で得られた所定数のチャネルの音声信号に基づいて左チャネル音声信号および右チャネル音声信号の２チャネルの音声信号を生成する信号処理部とを備え、
上記信号処理部は、
上記所定数のチャネルの音声信号のそれぞれに対して各チャネルの音源位置からリスナの左耳までの経路に応じたインパルス応答をデジタルフィルタにより畳み込み、各チャネルにおける該畳み込み結果を加算して上記左チャネル音声信号を生成し、
上記所定数のチャネルの音声信号のそれぞれに対して各チャネルの音源位置からリスナの右耳までの経路に応じたインパルス応答をデジタルフィルタにより畳み込み、各チャネルにおける該畳み込み結果を加算して上記右チャネル音声信号を生成し、
上記圧縮音声ストリームのフォーマット情報に基づいて、上記信号処理部の上記デジタルフィルタに上記インパルス応答に応じたフィルタ係数を設定する係数設定部をさらに備える
音声信号処理装置。
【請求項２】
上記係数設定部は、
上記デコードモード情報で示されるチャネルに対応したデジタルフィルタに、上記フォーマット情報で決まる想定チャネル配置に応じたフィルタ係数を設定する
請求項１に記載の音声信号処理装置。
【請求項３】
上記信号処理部は、
複数のチャネルの音声信号の処理に兼用される上記デジタルフィルタを含む
請求項１または２に記載の音声信号処理装置。
【請求項４】
上記兼用されるデジタルフィルタは、７．１チャネルの音声信号を構成するフロント・ハイの音声信号または７．１チャネルの音声信号を構成するバック・サラウンドの音声信号を処理する
請求項３に記載の音声信号処理装置。
【請求項５】
圧縮音声ストリームをデコードして所定数のチャネルの音声信号を得るデコードステップと、
上記デコードステップで得られる所定数のチャネルの音声信号に基づいて左音声信号および右音声信号の２チャネルの音声信号を生成する信号処理ステップを備え、
上記信号処理ステップでは、
上記所定数のチャネルの音声信号のそれぞれに対して各チャネルの音源位置からリスナの左耳までの経路に応じたインパルス応答をデジタルフィルタにより畳み込み、各チャネルにおける該畳み込み結果を加算して上記左音声信号を生成し、
上記所定数のチャネルの音声信号のそれぞれに対して各チャネルの音源位置からリスナの右耳までの経路に応じたインパルス応答をデジタルフィルタにより畳み込み、各チャネルにおける該畳み込み結果を加算して上記右音声信号を生成し、
上記圧縮音声ストリームのフォーマット情報に基づいて、上記デジタルフィルタに上記インパルス応答に応じたフィルタ係数を設定する係数設定ステップをさらに備える
音声信号処理方法。
【請求項６】
圧縮音声ストリームをデコードして所定数のチャネルの音声信号を得るデコードステップと、
上記デコードステップで得られる所定数のチャネルの音声信号に基づいて左音声信号および右音声信号の２チャネルの音声信号を生成する信号処理ステップを備え、
上記信号処理ステップでは、
上記所定数のチャネルの音声信号のそれぞれに対して各チャネルの音源位置からリスナの左耳までの経路に応じたインパルス応答をデジタルフィルタにより畳み込み、各チャネルにおける該畳み込み結果を加算して上記左音声信号を生成し、
上記所定数のチャネルの音声信号のそれぞれに対して各チャネルの音源位置からリスナの右耳までの経路に応じたインパルス応答をデジタルフィルタにより畳み込み、各チャネルにおける該畳み込み結果を加算して上記右音声信号を生成し、
上記圧縮音声ストリームのフォーマット情報に基づいて、上記デジタルフィルタに上記インパルス応答に応じたフィルタ係数を設定する係数設定ステップをさらに備える
音声信号処理方法をコンピュータに実行させるためのプログラム。
【請求項７】
圧縮音声ストリームをデコードして所定数のチャネルの音声信号を得るデコードステップと、
上記デコードステップで得られる所定数のチャネルの音声信号に基づいて左音声信号および右音声信号の２チャネルの音声信号を生成する信号処理ステップを備え、
上記信号処理ステップでは、
上記所定数のチャネルの音声信号のそれぞれに対して各チャネルの音源位置からリスナの左耳までの経路に応じたインパルス応答をデジタルフィルタにより畳み込み、各チャネルにおける該畳み込み結果を加算して上記左音声信号を生成し、
上記所定数のチャネルの音声信号のそれぞれに対して各チャネルの音源位置からリスナの右耳までの経路に応じたインパルス応答をデジタルフィルタにより畳み込み、各チャネルにおける該畳み込み結果を加算して上記右音声信号を生成し、
上記圧縮音声ストリームのフォーマット情報に基づいて、上記デジタルフィルタに上記インパルス応答に応じたフィルタ係数を設定する係数設定ステップをさらに備える
音声信号処理方法をコンピュータに実行させるためのプログラムを記録した記録媒体。
【請求項８】
圧縮音声ストリームをデコードして所定数のチャネルの音声信号を得るデコード部と、
上記デコード部で得られた所定数のチャネルの音声信号に基づいて左音声信号および右音声信号の２チャネルの音声信号を生成する信号処理部とを備え、
上記信号処理部は、
上記所定数のチャネルの音声信号のそれぞれに対して各チャネルの音源位置からリスナの左耳までの経路に応じたインパルス応答をデジタルフィルタにより畳み込み、各チャネルにおける該畳み込み結果を加算して上記左音声信号を生成し、
上記所定数のチャネルの音声信号のそれぞれに対して各チャネルの音源位置からリスナの右耳までの経路に応じたインパルス応答をデジタルフィルタにより畳み込み、各チャネルにおける該畳み込み結果を加算して上記右音声信号を生成し、
上記信号処理部の少なくとも低域増強チャネルの音声信号を処理するデジタルフィルタをＩＩＲフィルタで構成する
音声信号処理装置。
【請求項９】
圧縮音声ストリームをデコードして所定数のチャネルの音声信号を得るデコードステップと、
上記デコードステップで得られる所定数のチャネルの音声信号に基づいて左音声信号および右音声信号の２チャネルの音声信号を生成する信号処理ステップを備え、
上記信号処理ステップでは、
上記所定数のチャネルの音声信号のそれぞれに対して各チャネルの音源位置からリスナの左耳までの経路に応じたインパルス応答をデジタルフィルタにより畳み込み、各チャネルにおける該畳み込み結果を加算して上記左音声信号を生成し、
上記所定数のチャネルの音声信号のそれぞれに対して各チャネルの音源位置からリスナの右耳までの経路に応じたインパルス応答をデジタルフィルタにより畳み込み、各チャネルにおける該畳み込み結果を加算して上記右音声信号を生成し、
少なくとも低域増強チャネルの音声信号を上記デジタルフィルタとしてのＩＩＲフィルタで処理する
音声信号処理方法。
【請求項１０】
圧縮音声ストリームをデコードして所定数のチャネルの音声信号を得るデコードステップと、
上記デコードステップで得られる所定数のチャネルの音声信号に基づいて左音声信号および右音声信号の２チャネルの音声信号を生成する信号処理ステップを備え、
上記信号処理ステップでは、
上記所定数のチャネルの音声信号のそれぞれに対して各チャネルの音源位置からリスナの左耳までの経路に応じたインパルス応答をデジタルフィルタにより畳み込み、各チャネルにおける該畳み込み結果を加算して上記左音声信号を生成し、
上記所定数のチャネルの音声信号のそれぞれに対して各チャネルの音源位置からリスナの右耳までの経路に応じたインパルス応答をデジタルフィルタにより畳み込み、各チャネルにおける該畳み込み結果を加算して上記右音声信号を生成し、
少なくとも低域増強チャネルの音声信号を上記デジタルフィルタとしてのＩＩＲフィルタで処理する
音声信号処理方法をコンピュータに実行させるためのプログラム。
【請求項１１】
圧縮音声ストリームをデコードして所定数のチャネルの音声信号を得るデコードステップと、
上記デコードステップで得られる所定数のチャネルの音声信号に基づいて左音声信号および右音声信号の２チャネルの音声信号を生成する信号処理ステップを備え、
上記信号処理ステップでは、
上記所定数のチャネルの音声信号のそれぞれに対して各チャネルの音源位置からリスナの左耳までの経路に応じたインパルス応答をデジタルフィルタにより畳み込み、各チャネルにおける該畳み込み結果を加算して上記左音声信号を生成し、
上記所定数のチャネルの音声信号のそれぞれに対して各チャネルの音源位置からリスナの右耳までの経路に応じたインパルス応答をデジタルフィルタにより畳み込み、各チャネルにおける該畳み込み結果を加算して上記右音声信号を生成し、
少なくとも低域増強チャネルの音声信号を上記デジタルフィルタとしてのＩＩＲフィルタで処理する
音声信号処理方法をコンピュータに実行させるためのプログラムを記録した記録媒体。
【請求項１２】
圧縮音声ストリームをデコードして所定数のチャネルの音声信号を得るデコード部と、
上記デコード部で得られた所定数のチャネルの音声信号に基づいて左音声信号および右音声信号の２チャネルの音声信号を生成する信号処理部とを備え、
上記信号処理部は、
上記所定数のチャネルの音声信号のそれぞれに対して各チャネルの音源位置からリスナの左耳までの経路に応じたインパルス応答をデジタルフィルタにより畳み込み、各チャネルにおける該畳み込み結果を加算して上記左音声信号を生成し、
上記所定数のチャネルの音声信号のそれぞれに対して各チャネルの音源位置からリスナの右耳までの経路に応じたインパルス応答をデジタルフィルタにより畳み込み、各チャネルにおける該畳み込み結果を加算して上記右音声信号を生成し、
上記信号処理部のフロント・ハイのチャネルの音声信号を処理するデジタルフィルタに設定されるフィルタ係数は、実音場データと無響室データとを組み合わせて得られたデータである
音声信号処理装置。
【請求項１３】
上記実音場データには、フロントチャネルのスピーカ特性と該フロントチャネルの残響部分のデータが含まれる
請求項１２に記載の音声信号処理装置。
【請求項１４】
圧縮音声ストリームをデコードして所定数のチャネルの音声信号を得るデコードステップと、
上記デコードステップで得られた所定数のチャネルの音声信号に基づいて左音声信号および右音声信号の２チャネルの音声信号を生成する信号処理ステップとを備え、
上記信号処理ステップでは、
上記所定数のチャネルの音声信号のそれぞれに対して各チャネルの音源位置からリスナの左耳までの経路に応じたインパルス応答をデジタルフィルタにより畳み込み、各チャネルにおける該畳み込み結果を加算して上記左音声信号を生成し、
上記所定数のチャネルの音声信号のそれぞれに対して各チャネルの音源位置からリスナの右耳までの経路に応じたインパルス応答をデジタルフィルタにより畳み込み、各チャネルにおける該畳み込み結果を加算して上記右音声信号を生成し、
上記信号処理ステップでフロント・ハイのチャネルの音声信号を処理するデジタルフィルタに設定されるフィルタ係数は、実音場データと無響室データとを組み合わせて得られたデータである
音声信号処理方法。
【請求項１５】
圧縮音声ストリームをデコードして所定数のチャネルの音声信号を得るデコードステップと、
上記デコードステップで得られた所定数のチャネルの音声信号に基づいて左音声信号および右音声信号の２チャネルの音声信号を生成する信号処理ステップとを備え、
上記信号処理ステップでは、
上記所定数のチャネルの音声信号のそれぞれに対して各チャネルの音源位置からリスナの左耳までの経路に応じたインパルス応答をデジタルフィルタにより畳み込み、各チャネルにおける該畳み込み結果を加算して上記左音声信号を生成し、
上記所定数のチャネルの音声信号のそれぞれに対して各チャネルの音源位置からリスナの右耳までの経路に応じたインパルス応答をデジタルフィルタにより畳み込み、各チャネルにおける該畳み込み結果を加算して上記右音声信号を生成し、
上記信号処理ステップでフロント・ハイのチャネルの音声信号を処理するデジタルフィルタに設定されるフィルタ係数は、実音場データと無響室データとを組み合わせて得られたデータである
音声信号処理方法をコンピュータに実行させるためのプログラム。
【請求項１６】
圧縮音声ストリームをデコードして所定数のチャネルの音声信号を得るデコードステップと、
上記デコードステップで得られた所定数のチャネルの音声信号に基づいて左音声信号および右音声信号の２チャネルの音声信号を生成する信号処理ステップとを備え、
上記信号処理ステップでは、
上記所定数のチャネルの音声信号のそれぞれに対して各チャネルの音源位置からリスナの左耳までの経路に応じたインパルス応答をデジタルフィルタにより畳み込み、各チャネルにおける該畳み込み結果を加算して上記左音声信号を生成し、
上記所定数のチャネルの音声信号のそれぞれに対して各チャネルの音源位置からリスナの右耳までの経路に応じたインパルス応答をデジタルフィルタにより畳み込み、各チャネルにおける該畳み込み結果を加算して上記右音声信号を生成し、
上記信号処理ステップでフロント・ハイのチャネルの音声信号を処理するデジタルフィルタに設定されるフィルタ係数は、実音場データと無響室データとを組み合わせて得られたデータである
音声信号処理方法をコンピュータに実行させるためのプログラムを記録した記録媒体。
【請求項１７】
圧縮音声ストリームをデコードして所定数のチャネルの音声信号を得るデコード部と、
上記デコード部で得られた所定数のチャネルの音声信号に基づいて左チャネル音声信号および右チャネル音声信号の２チャネルの音声信号を生成する信号処理部とを備え、
上記信号処理部は、
上記所定数のチャネルの音声信号のそれぞれに対して各チャネルの音源位置からリスナの左耳までの経路に応じたインパルス応答をデジタルフィルタにより畳み込み、各チャネルにおける該畳み込み結果を加算して上記左チャネル音声信号を生成し、
上記所定数のチャネルの音声信号のそれぞれに対して各チャネルの音源位置からリスナの右耳までの経路に応じたインパルス応答をデジタルフィルタにより畳み込み、各チャネルにおける該畳み込み結果を加算して上記右チャネル音声信号を生成し、
上記信号処理部のデジタルフィルタは、上記音声信号に対して、上記インパルス応答を周波数領域で畳み込み、
上記インパルス応答に対応したフィルタ係数として時系列係数データを保持する係数保持部と、
上記係数保持部に保持されている時系列係数データを読み出し、周波数領域データに変換して上記デジタルフィルタに設定する係数設定部とをさらに備える
音声信号処理装置。
【請求項１８】
圧縮音声ストリームをデコードして所定数のチャネルの音声信号を得るデコードステップと、
上記デコードステップで得られた所定数のチャネルの音声信号に基づいて左チャネル音声信号および右チャネル音声信号の２チャネルの音声信号を生成する信号処理ステップとを備え、
上記信号処理ステップでは、
上記所定数のチャネルの音声信号のそれぞれに対して各チャネルの音源位置からリスナの左耳までの経路に応じたインパルス応答をデジタルフィルタにより畳み込み、各チャネルにおける該畳み込み結果を加算して上記左チャネル音声信号を生成し、
上記所定数のチャネルの音声信号のそれぞれに対して各チャネルの音源位置からリスナの右耳までの経路に応じたインパルス応答をデジタルフィルタにより畳み込み、各チャネルにおける該畳み込み結果を加算して上記右チャネル音声信号を生成し、
上記デジタルフィルタは、上記音声信号に対して、上記インパルス応答を周波数領域で畳み込み、
係数保持部に保持されている時系列係数データを読み出し、周波数領域データに変換して上記デジタルフィルタに設定する係数設定ステップをさらに備える
音声信号処理方法。
【請求項１９】
圧縮音声ストリームをデコードして所定数のチャネルの音声信号を得るデコードステップと、
上記デコードステップで得られた所定数のチャネルの音声信号に基づいて左チャネル音声信号および右チャネル音声信号の２チャネルの音声信号を生成する信号処理ステップとを備え、
上記信号処理ステップでは、
上記所定数のチャネルの音声信号のそれぞれに対して各チャネルの音源位置からリスナの左耳までの経路に応じたインパルス応答をデジタルフィルタにより畳み込み、各チャネルにおける該畳み込み結果を加算して上記左チャネル音声信号を生成し、
上記所定数のチャネルの音声信号のそれぞれに対して各チャネルの音源位置からリスナの右耳までの経路に応じたインパルス応答をデジタルフィルタにより畳み込み、各チャネルにおける該畳み込み結果を加算して上記右チャネル音声信号を生成し、
上記デジタルフィルタは、上記音声信号に対して、上記インパルス応答を周波数領域で畳み込み、
係数保持部に保持されている時系列係数データ実時間データを読み出し、周波数領域データに変換して上記デジタルフィルタに設定する係数設定ステップをさらに備える
音声信号処理方法をコンピュータに実行させるためのプログラム。
【請求項２０】
圧縮音声ストリームをデコードして所定数のチャネルの音声信号を得るデコードステップと、
上記デコードステップで得られた所定数のチャネルの音声信号に基づいて左チャネル音声信号および右チャネル音声信号の２チャネルの音声信号を生成する信号処理ステップとを備え、
上記信号処理ステップでは、
上記所定数のチャネルの音声信号のそれぞれに対して各チャネルの音源位置からリスナの左耳までの経路に応じたインパルス応答をデジタルフィルタにより畳み込み、各チャネルにおける該畳み込み結果を加算して上記左チャネル音声信号を生成し、
上記所定数のチャネルの音声信号のそれぞれに対して各チャネルの音源位置からリスナの右耳までの経路に応じたインパルス応答をデジタルフィルタにより畳み込み、各チャネルにおける該畳み込み結果を加算して上記右チャネル音声信号を生成し、
上記デジタルフィルタは、上記音声信号に対して、上記インパルス応答を周波数領域で畳み込み、
係数保持部に保持されている時系列係数データ実時間データを読み出し、周波数領域データに変換して上記デジタルフィルタに設定する係数設定ステップをさらに備える
音声信号処理方法をコンピュータに実行させるためのプログラムを記録した記録媒体。
【手続補正２】
【補正対象書類名】明細書
【補正対象項目名】００１５
【補正方法】変更
【補正の内容】
【００１５】
本技術において、デコード部により、圧縮音声ストリームがデコードされて所定数のチャネルの音声信号が得られる。例えば、２チャネルの音声信号、５.１チャネルの音声信号、７．１チャネルの音声信号などである。そして、信号処理部により、この所定数のチャネルの音声信号に基づいて左音声信号および右音声信号の２チャネルの音声信号が生成される。
【手続補正３】
【補正対象書類名】明細書
【補正対象項目名】００１６
【補正方法】変更
【補正の内容】
【００１６】
この場合、信号処理部では、所定数のチャネルの音声信号のそれぞれに対して各チャネルの音源位置からリスナの左耳までの経路に応じたインパルス応答がデジタルフィルタにより畳み込まれ、各チャネルにおけるこの畳み込み結果が加算されて左音声信号が生成される。同様に、信号処理部では、所定数のチャネルの音声信号のそれぞれに対して各チャネルの音源位置からリスナの右耳までの経路に応じたインパルス応答がデジタルフィルタにより畳み込まれ、各チャネルにおけるこの畳み込み結果が加算されて右音声信号が生成される。
【手続補正４】
【補正対象書類名】明細書
【補正対象項目名】００３４
【補正方法】変更
【補正の内容】
【００３４】
デコード部１０３は、図示のように、例えば、デコーダ１０３ａとポストデコーダ１０３ｂにより構成されている。デコーダ１０３ａは、圧縮音声ストリームＡstのデコード処理を行う。この場合、圧縮音声ストリームＡstのフォーマットに応じて、例えば、２チャネルの音声信号、あるいは５.１、または７．１チャネルの音声信号が得られる。
【手続補正５】
【補正対象書類名】明細書
【補正対象項目名】００４８
【補正方法】変更
【補正の内容】
【００４８】
また、ＦＩＲフィルタ５１-7L，５１-7Rは、右フロント・ハイチャネル（ＨＲ）あるいは右バック・サラウンドチャネル（ＢＲ）の音声信号を処理するデジタルフィルタである。ＦＩＲフィルタ５１-７Lは、右フロント・ハイチャネル（ＨＲ）あるいは右バック・サラウンドチャネル（ＢＲ）の音声信号に、このチャネルの音源位置からリスナの左耳までの経路に応じたインパルス応答を畳み込む。ＦＩＲフィルタ５１-7Rは、右フロント・ハイチャネル（ＨＲ）あるいは右バック・サラウンドチャネル（ＢＲ）の音声信号に、このチャネルの音源位置からリスナの右耳までの経路に応じたインパルス応答を畳み込む。
【手続補正６】
【補正対象書類名】明細書
【補正対象項目名】００４９
【補正方法】変更
【補正の内容】
【００４９】
また、ＩＩＲフィルタ５１-8L，５１-8Rは、低域増強チャネル（ＬＦＥ）の音声信号（サブウーファー信号）を処理するデジタルフィルタである。ＩＩＲフィルタ５１-8Lは、低域増強チャネル（ＬＦＥ）の音声信号に、このチャネルの音源位置からリスナの左耳までの経路に応じたインパルス応答を畳み込む。ＩＩＲフィルタ５１-8Rは、低域増強チャネル（ＬＦＥ）の音声信号に、このチャネルの音源位置からリスナの右耳までの経路に応じたインパルス応答を畳み込む。
【手続補正７】
【補正対象書類名】明細書
【補正対象項目名】００６０
【補正方法】変更
【補正の内容】
【００６０】
また、係数データ５２-2L，５２-2Rは、それぞれ、信号処理部１０５のＦＩＲフィルタ５１-2L，５１-2Rに設定すべき係数データＦＲ-L，ＦＲ-Rを示している。また、係数データ５２-3L，５２-3Rは、それぞれ、信号処理部１０５のＦＩＲフィルタ５１-3L，５１-3Rに設定すべき係数データＣ-L，Ｃ-Rを示している。また、係数データ５２-4L，５２-4Rは、それぞれ、信号処理部１０５のＦＩＲフィルタ５１-4L，５１-4Rに設定すべき係数データＳＬ-L，ＳＬ-Rを示している。
【手続補正８】
【補正対象書類名】明細書
【補正対象項目名】００６２
【補正方法】変更
【補正の内容】
【００６２】
また、係数データ５２-6Lb，５２-6Rbは、それぞれ、信号処理部１０５のＦＩＲフィルタ５１-6L，５１-6Rに設定すべき係数データＢＬ-L，ＢＬ-Rを示している。また、係数データ５２-７Lb，５２-7Rbは、それぞれ、信号処理部１０５のＦＩＲフィルタ５１-7L，５１-7Rに設定すべき係数データＢＲ-L，ＢＲ-Rを示している。さらに、係数データ５２-8L，５２-8Rは、それぞれ、信号処理部１０５のＩＩＲフィルタ５１-8L，５１-8Rに設定すべき係数データＬＦ-L，ＬＦ-Rを示している。